(57)【要約】  第１の表示装置に表示されている現在の番組チャンネルおよびそのチャンネルのコンテンツをトラッキングする。第１の表示装置に表示されているコンテンツに関連するウェブ・コンテンツを検索し、その結果得られたデータを、少なくとも１つの第２の表示装置において、ユーザ・インタフェースを介してユーザが利用できるようにする。検索の結果をユーザが利用できるようにして、検索の結果得られたデータが少なくとも１つの第２の表示装置に表示するものとして選択されたときに、そのデータが、第１の表示装置におけるコンテンツの表示を妨害することなく、少なくとも１つの第２の表示装置に表示されるようにする。番組チャンネルが変更されたとき、またはそのチャンネルのコンテンツが変化したときには、現在視聴しているコンテンツに関連するデータを探す新たな検索を開始する。
2014519749.tif 000002
【特許請求の範囲】
【請求項１】
複数のスクリーンによるコンテンツ体験を提供する方法であって、
第１の表示装置に表示されているコンテンツをトラッキングするステップと、
インターネットを介してアクセス可能な、前記第１の表示装置に表示されている前記コンテンツに関連するデータを検索するステップと、
少なくとも１つの第２の表示装置上で、前記検索の結果として見つかったデータへのアクセスを提供するステップと、
を含む、前記方法。
【請求項２】
データへの前記アクセスを、前記第１の表示装置に表示されている前記コンテンツに関連するデータへのリンクによって提供する、請求項１に記載の方法。
【請求項３】
前記リンクが、自動的に決定され、ユーザに対して提示される、請求項２に記載の方法。
【請求項４】
前記検索がウェブ・サーバに接続するローカル・ネットワークＵＲＬをユーザに提供することによって実行され、該ローカル・ネットワークＵＲＬに接続すると、前記第１の表示装置に表示されている現在のチャンネルおよび番組に基づいて前記第１の表示装置に表示されている前記コンテンツに関連するデータの検索を該ウェブ・サーバが開始する、請求項１に記載の方法。
【請求項５】
前記検索の結果がＨＴＭＬページを介して提供される、請求項１に記載の方法。
【請求項６】
前記ＨＴＭＬページが高機能電子サービス・ガイドを表現する、請求項５に記載の方法。
【請求項７】
前記検索がＲＥＳＴに基づく検索インタフェースを介して実施される、請求項１に記載の方法。
【請求項８】
表示されている前記コンテンツの現在の番組チャンネルおよびそのチャンネルの前記コンテンツがトラッキングされて、前記番組チャンネルが変更された場合、または前記チャンネルの前記コンテンツが変化した場合に、現在視聴しているコンテンツに関連するデータを探す新たな検索が開始されるようになっている、請求項１に記載の方法。
【請求項９】
インターネットを介してアクセス可能な前記データが前記第１の表示装置に表示されているコンテンツに関連するウェブ・コンテンツ・ソースを含み、該ウェブ・コンテンツ・ソースが、オフィシャル・ウェブサイト、ウィキペディア・ページ、インターネット動画データベース・ページ、ストリーミング・コンテンツ・プロバイダ、ウェブ画像およびＴｗｉｔｔｅｒのやりとりのうちの少なくとも１つを含む、請求項１に記載の方法。
【請求項１０】
前記検索の結果が、タブ・フォーマットを有するウェブ・ページを用いて提示される、請求項１に記載の方法。
【請求項１１】
前記検索の結果が、スライドショー・フォーマットを用いて提示される、請求項１に記載の方法。
【請求項１２】
前記第２の表示装置に表示のために選択されたデータが、前記第１の表示装置におけるコンテンツの表示を妨害することなく、前記第２のスクリーン装置に表示される、請求項１に記載の方法。
【請求項１３】
複数のスクリーンによるコンテンツ体験を提供する装置であって、
番組コンテンツを受信して同調させるチューナと、
第１の表示装置に表示されているコンテンツをトラッキングするプロセッサと、
前記プロセッサと協働して、前記第１の表示装置に表示されている前記コンテンツに関連する、インターネットを介してアクセス可能なデータを検索し、前記検索の結果として見つかったデータを少なくとも１つの第２の表示装置上でアクセス可能にするウェブ・サービスと、を備える前記装置。
【請求項１４】
少なくとも前記検索の結果を記憶するデータベースをさらに備える、請求項１３に記載の装置。
【請求項１５】
前記プロセッサおよび前記ウェブ・サービスが、前記少なくとも１つの第１の表示装置および前記少なくとも１つの第２の表示装置と通信を行う中央インタフェース・プラットフォームを含み、該中央インタフェース・プラットフォームが、前記第１の表示装置に表示されるコンテンツに関連するデータを取り出し、このデータを前記第２の表示装置に伝送する、請求項１３に記載の装置。
【請求項１６】
複数のスクリーンによるコンテンツ体験を提供するシステムであって、
受信したコンテンツを表示する第１の表示装置と、
前記第１の表示装置に表示されている前記コンテンツに関連するコンテンツを、前記第１の表示装置におけるコンテンツの表示を妨害することなく表示する、少なくとも１つの第２の表示装置と、
インターネットを介してアクセス可能なデータへのアクセスを提供するウェブ・サービスと、
装置と、を備え、
該装置が、
コンテンツを受信するチューナと、
前記第１の表示装置に表示されているコンテンツをトラッキングし、前記ウェブ・サービスと協働して、前記第１の表示装置に表示されている前記コンテンツに関連する、インターネットを介してアクセス可能なデータを検索し、前記検索の結果として見つかったデータを前記少なくとも１つの第２の表示装置上でアクセス可能にするプロセッサと、を含む、前記システム。
【請求項１７】
前記インターネット検索の結果得られた前記データが、ユーザ・インタフェースを介して前記少なくとも１つの第２の表示装置上で提示される、請求項１６に記載のシステム。
【請求項１８】
前記ユーザ・インタフェースが、タブ・フォーマットを有するウェブ・ページを含む、請求項１７に記載のシステム。
【請求項１９】
前記ユーザ・インタフェースが、スライドショー・フォーマットを有するウェブ・ページを含む、請求項１７に記載のシステム。
【請求項２０】
前記第１の表示装置および前記少なくとも１つの第２の表示装置が、テレビジョン・スクリーン、ラップトップ・コンピュータ、デスクトップ・コンピュータ、ネットブック、スマートフォン、およびタブレットのうちの少なくとも１つを含む、請求項１７に記載のシステム。
【発明の詳細な説明】
【技術分野】
【０００１】
本発明は、一般にメディア消費に関し、より詳細には、関連するコンテンツを複数のスクリーンを用いて体験する方法、装置およびシステムに関する。
【背景技術】
【０００２】
近年、インターネット接続機能を備えたテレビジョンが、市場に登場している。さらに、テレビジョンに接続してオンスクリーン対話機能を提供する周辺機器も導入されている。ただし、このような主となるテレビジョン・スクリーン上でのインターネットおよび周辺機器との対話機能には、主となるコンテンツが見にくくなる、インタフェース機構が扱いにくいなど、多くの欠点がある。
【０００３】
現在の市場では、ＴＶ視聴者の周囲に、ラップトップ、ネットブック、スマートフォン、タブレットなど、豊富なユーザ・インタフェース機能およびインターネット接続機能を特徴とする「第２のスクリーン」装置があることが多い。しかし、現在のところ、これらの装置は、テレビジョン視聴体験から切り離されたものである。
【発明の概要】
【０００４】
本発明の実施形態は、このような従来技術の欠点に対処するものであり、複数のスクリーンによるメディア体験を提供する方法、装置およびシステムを提供する。
【０００５】
本発明の一実施形態では、第１の表示装置で視聴しているコンテンツを妨害しない複数のスクリーンによるメディア体験を提供する方法は、第１の表示装置に表示されているコンテンツをトラッキングすることと、その第１の表示装置に表示されているコンテンツに関連する、インターネットを介してアクセス可能なデータを検索することと、少なくとも１つの第２の表示装置上で、上記検索の結果得られたデータへのアクセスを提供することとを含む。本発明の様々な実施形態では、検索結果および検索の結果として見つかったコンテンツで、少なくとも１つの第２の表示装置に表示するものとして選択されたものは、上記第１の表示装置におけるコンテンツの表示を妨害することなく、少なくとも１つの第２の表示装置に表示される。
【０００６】
本発明の代替実施形態では、複数のスクリーンによるコンテンツ体験を提供する装置は、番組コンテンツを受信して同調させるチューナと、第１の表示装置に表示されているコンテンツをトラッキングするプロセッサと、プロセッサと協働して、その第１の表示装置に表示されているコンテンツに関連する、インターネットを介してアクセス可能なデータを検索し、検索の結果として見つかったデータを上記少なくとも１つの第２の表示装置上でアクセス可能にするウェブ・サービスとを含む。
【０００７】
本発明の代替実施形態では、複数のスクリーンによるコンテンツ体験を提供するシステムは、受信したコンテンツを表示する第１の表示装置と、その第１の表示装置に表示されているコンテンツに関連するコンテンツを、上記第１の表示装置におけるコンテンツの表示を妨害することなく表示する、少なくとも１つの第２の表示装置と、インターネットを介してアクセス可能なデータへのアクセスを提供するウェブ・サービスと、コンテンツを受信するチューナ、および上記第１の表示装置に表示されているコンテンツをトラッキングし、ウェブ・サービスと協働して、上記第１の表示装置に表示されているコンテンツに関連する、インターネットを介してアクセス可能なデータを検索し、検索の結果として見つかったデータを上記少なくとも１つの第２の表示装置上でアクセス可能にするプロセッサを有する装置とを含む。
【０００８】
本発明の教示は、以下の詳細な説明を添付の図面と関連付けて考慮することにより、容易に理解することができる。
【図面の簡単な説明】
【０００９】
【図１】従来技術による家庭内視聴環境を示すハイレベルブロック図である。
【図２】本発明の実施形態による家庭内視聴システムを示すハイレベルブロック図である。
【図３】本発明の実施形態による、タブ・フォーマットを有するウェブ・ページ・フォーマットの例示的な関連コンテンツのブラウザ・インタフェースのスクリーンショットを示す図である。
【図４】本発明の実施形態による複数のスクリーンによるコンテンツ視聴方法を示すフロー図である。
【発明を実施するための形態】
【００１０】
これらの図面は、本発明の概念を例示するためのものであって、必ずしも本発明を説明するための唯一可能な構成ではないことを理解されたい。理解し易いように、各図面に共通する同一の要素は、可能な限り同一の参照番号を用いて示してある。
【００１１】
本発明の実施形態は、複数のスクリーンによるメディア体験を提供する方法、装置およびシステムを提供するので有利である。主としてテレビジョン上のメイン・コンテンツに関連する補助コンテンツを第２のスクリーン装置上で提供するというコンテクストで本発明について説明するが、この本発明の具体的な実施形態は本発明の範囲を限定するものとして扱うべきではない。本発明の概念は、任意のスクリーン装置におけるメイン・コンテンツの提示、および第２のスクリーン装置だけでなくさらに多くのスクリーン装置における補助コンテンツの提示に有利に適用することができることを当業者なら理解するであろうし、本発明の教示によって知らされるであろう。
【００１２】
図面に示す様々な要素の機能は、専用のハードウェアを使用することによって、また適切なソフトウェアと連携してソフトウェアを実行可能なハードウェアを使用することによって、提供することができる。プロセッサによってそれらの機能を提供するときには、単一の専用プロセッサで提供することも、単一の共用プロセッサで提供することも、あるいはその一部を共用することもできる複数の個別プロセッサで提供することもできる。さらに、「プロセッサ」または「制御装置」という用語を明示的に用いていても、ソフトウェアを実行可能なハードウェアのみを指していると解釈すべきではなく、ディジタル信号プロセッサ（「ＤＳＰ」）ハードウェア、ソフトウェアを記憶するための読取り専用メモリ（「ＲＯＭ」）、ランダム・アクセス・メモリ（「ＲＡＭ」）および不揮発性記憶装置を暗に含むことがあり、ただしこれらに限定されない。さらに、本発明の原理、態様および実施形態ならびに本発明の具体的な例について本明細書で述べる全ての記述は、その構成的均等物および機能的均等物の両方を含むものとする。さらに、これらの均等物には、現在既知の均等物だけでなく、将来開発されるであろう均等物も含まれるものとする（すなわち、その構成に関わらず、同じ機能を実行する開発される任意の要素も含まれるものとする）。
【００１３】
従って、例えば、当業者なら、本明細書に示すブロック図が本発明の原理を実施する例示的なシステム構成要素および／または回路の概念図を表していることを理解するであろう。同様に、任意のフローチャート、流れ図、状態遷移図、擬似コードなどが、コンピュータ可読媒体中に実質的に表現され、明示してある場合もしていない場合もあるコンピュータまたはプロセッサによって実質的に実行され得る様々なプロセスを表すことも理解されたい。
【００１４】
図１は、従来技術による家庭内視聴環境を示すハイレベルブロック図である。図１に示すように、視聴者１１０は、テレビジョン１１５のコンテンツを消費しており、無線ネットワーク１３０を介したインターネット・アクセスを利用してその他のコンテンツを消費するための追加の表示スクリーン、例えばラップトップ・コンピュータ１２０および携帯電話１２５などに囲まれている。図１の実施形態では、各スクリーン上での消費体験は、別個の体験であり、接続されていない。
【００１５】
図２は、本発明の実施形態による家庭内視聴システムを示すハイレベルブロック図である。図２のシステム２００は、例えば、第１のスクリーン２１５（例えばテレビジョン）、第２のスクリーン２２０（例えばラップトップ・コンピュータ）、第３のスクリーン２２５（例えば携帯電話機）、およびセット・トップ・ボックス２４０を含む。図２のセット・トップ・ボックス２４０は、例えば、チューナ２４２、および本明細書に記載する本発明の様々な実施形態の概念による複数のスクリーンによるメディア体験を提供するためのサービス・プラットフォームを実行するプロセッサ２４４を含む。
【００１６】
図２のセット・トップ・ボックスは、例えば、ウェブ・サービス２５２と、ガイド更新処理部２５４と、データベース２５６とを含む、高機能電子サービス・ガイド（ＥＳＧ）サーバ２５０をさらに含む。図２には、情報およびコンテンツをセット・トップ・ボックス２４０とやりとりするためのインターネット２６０もさらに示してある。
【００１７】
図２には、ＥＳＧサーバ２５０がセット・トップ・ボックス２４０の統合された構成要素であるものとして示してあるが、本発明の代替実施形態では、本発明の様々な実施形態の第２のスクリーン用の関連データを探し出すのに必要なウェブ検索の量、およびこれらの検索を実行するのに要する時間によっては、図２に示すようなセット・トップ・ボックスの一体構成要素の代わりに、完全なＥＳＧデータベースを備える中央サーバ（図示せず）を使用することもできる。本発明の中央サーバは、その関連データ、例えばメイン・スクリーンに表示されている番組／コンテンツに関連するＥＳＧに関連するデータなどを探す必要な検索を実行し、その結果をデータベースにキャッシュし、その後、そのデータを、図２のセット・トップ・ボックス２４０などのセット・トップ・ボックス上で動作する第２のスクリーン装置／サービス・プラットフォームに供給する。このような実施形態では、関連データ／ＥＳＧデータは、ＲＥＳＴ／ＪＳＯＮインタフェースを介してＨＴＴＰによって公開される。データベース・キャッシュにおいては、データベース・バックエンドとしてＳＱＬｉｔｅまたはＭｙＳＱＬへの接続の柔軟性から、ＳＱＬＡｌｃｈｅｍｙデータベース・ライブラリを使用する。このような実施形態の１つでは、標準ＥＳＧを毎日夜の間にダウンロードして、以下のように高機能ＥＳＧデータを埋めるためのウェブ検索を実行するために使用する。
【００１８】
本発明の様々な実施形態では、複数のスクリーン装置２１５、２２０および２２５を使用して、機能が強化されたテレビジョン視聴体験を提供する。一実施形態では、セット・トップ・ボックス２４０を利用して、サービスを提供し、複数のスクリーン装置２１５、２２０および２２５がアクセス可能なコンテンツにアクセスする。本発明の複数のスクリーン装置２１５、２２０および２２５は、第１のテレビジョン・スクリーンのコンテンツを見にくくすることなく、情報および追加コンテンツを見るためのディスプレイを備える。第１のスクリーン装置２１５の外部の第２のスクリーン装置２２０および２２５も、マウス、キーボード、タッチ・スクリーンなどを介してユーザ・インタフェースを提供できる。第１の番組（例えばテレビジョンのチャンネル）は、第１のスクリーンに表示され、この第１の番組に関連するまたは関連付けられたコンテンツは、第２のスクリーン上で、一実施形態では図２のウェブ・サービス２５２などのウェブ・インタフェースを介して、ユーザが利用できるようにする。そのウェブ・インタフェースは第２のスクリーン装置の特徴を利用できるようにカスタマイズすることもできる。
【００１９】
近年は、セット・トップ・ボックスがさらに高機能化しており、高速汎用プロセッサ、大容量ハード・ドライブ（ＤＶＲコンテンツ記憶用）、高性能オペレーティング・システム、およびネットワーク接続性を特徴としている。第１のスクリーン装置と第２のスクリーン装置を最適な形で一体化するには、利用できるチャンネルのラインアップ、電子サービス・ガイド、現在同調しているチャンネル、および同調／再生機能（これらは全てセット・トップ・ボックスによってその中央機能の一部として提供される）にアクセスする必要がある。
【００２０】
本発明の様々な実施形態では、セット・トップ・ボックスは、どの番組に現在同調しているかを把握しており、別の番組に同調させることができ、ユーザの利用できる番組編成に適用可能な電子サービス・ガイド（ＥＳＧ）へのアクセス権を有しており、かつ図２の実施形態を参照して上述したようなデスクトップ・コンピュータのものに近いプロセッサ、メモリおよびネットワーク接続機能を有している。図２の実施形態に示すように、セット・トップ・ボックス２４０にウェブ・サーバ機能を組込むことにより、本発明の様々な実施形態の機能を、一実施形態では図２に示すようなＨＴＭＬ／ＪａｖａＳｃｒｉｐｔ（登録商標）およびＲＥＳＴ／ＪＳＯＮなどの標準的なウェブ・プログラミング・パラダイムを用いてＨＴＴＰを介して、本発明のホーム・ネットワーク上の市販の第２のスクリーン装置で利用できるようにすることができる。本発明の様々な実施形態の有効性に影響を及ぼす可能性のある要因の１つは、ユーザが利用できるデータの品質であり、従って、図２の実施形態のシステムは、ウェブ・サービス２５２を介してアクセスしたウェブ・コンテンツによって強化された番組情報のデータベース２５６を備えるＥＳＧサーバ２５０を含む。
【００２１】
例えば、ウェブは、テレビジョン番組に関する膨大な情報で満たされているが、現在では、この体験はユーザにとっては切り離されたものである。現在のシステムでは、ウェブ／インターネット上の情報を取り出すためには、ユーザは、自分がどの番組を現在見ているかを特定し、ウェブ・ブラウザを開き、検索のための適当な情報を入力し、その後に検索エンジンの結果に目を通して手作業で関連する情報を見つけなければならない。本発明の様々な実施形態では、ウェブ／インターネット上でコンテンツを探す検索を自動化することによって、ユーザの視聴体験を改善する。本発明の一実施形態では、ユーザは、セット・トップ・ボックス上で動作するウェブ・サーバに接続するローカル・ネットワークＵＲＬを与えられる。このＵＲＬに接続すると、現在視聴しているチャンネルおよび番組に基づいてウェブ／インターネット上の関連コンテンツを探す検索が開始される。本発明のこのような実施形態では、ユーザには、検索結果を表示するＨＴＭＬページが提示される。
【００２２】
本発明の様々な実施形態では、ユーザがチャンネルを変更したとき、またはあるチャンネルで表示されているコンテンツが変化したときに、ＨＴＭＬページが現在視聴している番組に対する関連コンテンツに自動的に更新されるように、現在の番組のチャンネルおよびそのコンテンツをトラッキングする。従って、ユーザは、現在の番組に関連のある様々なウェブ・コンテンツ・ソース、例えば利用可能ならオフィシャル・ウェブサイト、ウィキペディアのページ、インターネット動画データベース（ＩＭＤｂ）ページ、ストリーミング・コンテンツ・プロバイダ、ウェブ画像、Ｔｗｉｔｔｅｒのやりとりなどに直ちにアクセスすることができる。
【００２３】
本発明の一実施形態では、関連コンテンツ／関係コンテンツの結果は、よくあるユーザ・インタフェース・パラダイムであるタブ・フォーマットのウェブ・ページに表示される。例えば、図３は、本発明の実施形態によるタブ・フォーマットを有するウェブ・ページ・フォーマットの例示的な関連コンテンツのブラウザ・インタフェースのスクリーンショットを示している。図３に示すように、第２のスクリーンを使用して、第１のスクリーン上で見ている番組に関連する情報へのアクセスをユーザに提供することができる。図３の実施形態では、第１のスクリーン上で見ているコンテンツはＳｔａｒ  Ｔｒｅｋ、Ｅｎｔｅｒｐｒｉｓｅ、Ｓｌｅｅｐｉｎｇ  Ｄｏｇｓ  ｏｎ  ｔｈｅ  ＳｙＦｙというチャンネルである。図３は、第２のスクリーン上のこれに関連する利用できるコンテンツを、タブ・フォーマットのウェブ・ページに示している。図３に示すように、第２のスクリーン上で、オフィシャル・ウェブサイトであるＳｔａｒＴｒｅｋ．ｃｏｍへのアクセスが可能になっており、さらに、ウィキペディア、ウェブ、関連画像、ＩＭＤｂ、Ｔｗｉｔｔｅｒ、関連ネットワーク（例えばＮＢＣユニバーサル）およびチャンネル・ガイドへのアクセスも可能になっている。図３の実施形態では、ユーザには、Ｆａｃｅｂｏｏｋなどのソーシャル・ネットワーク上で受信した情報を共有するためのアイコンが与えられる。図３に示すように、ニュース、特集、シリーズ／動画、ライブラリ、コミュニティ、ゲーム、関連グッズを購入できる店舗へのアクセスなどのタブを用いて、その他の利用可能な関連情報にもアクセスすることができる。
【００２４】
本発明の代替実施形態では、関連情報を「スクリーン・セーバ」モードでユーザに対して提示することにより、関連するコンテンツの領域がスライド・ショーとして自動的に繰り返しユーザに対して表示されるようにすることができる。このような表示モードでは、受動的な情報消費に対する能動的な情報消費を強調する。従来技術の解決策と異なり、本発明の実施形態では、ノンリニアなコンテンツ／ガイド探索手法をユーザに提供する。本発明の様々な実施形態では、第２のスクリーンの機能は、クラスタリング・アルゴリズムおよびデータ視覚化における現在の技術水準を活用することができる、コンテンツをガイド（案内）するためのノンリニアな手法を備える。これに対して、従来のオンスクリーン・ガイドでは、チャンネルと時間を軸とした２次元の表に、単純にリニアに番組を列挙している。このようなガイドは、実装が容易で、リモート・コントロールによる操作が容易であるために普及している。通常の電子サービス・ガイド・データに含まれる情報には限りがあり、タイトル、サブタイトル、概要、カテゴリ／ジャンル、コンテンツの規制、一部の番組のトップ・クレジット（制作スタッフ）、ならびにスケジュール情報（時間およびチャンネル）など、オン・スクリーン・テレビジョン表示に必要な情報しか含んでいない。このデータは、通常のリニアな番組ガイドに必要とされる条件は満たしており、名前やカテゴリによる簡単な検索は可能であるが、本発明の様々な実施形態の高性能な表示およびインタフェース機能には、最適とは云えない。
【００２５】
本発明の実施形態によれば、例えばウェブ検索を用いて、インターネットから取得したデータによってＥＳＧが強化される。例えば、以下の表１は、標準的なＥＳＧデータと、例示的な高機能ＥＳＧにおける本発明の実施形態によって探し出して表示したデータとによって得られる情報の例を比較したものである。
【００２６】
【表１】
2014519749.tif 000003
本発明の様々な実施形態では、高機能ＥＳＧを埋めるために、様々なサードパーティからのウェブ・サービス・インタフェースを使用することができる。一実施形態では、ウェブ上で情報を探し出すプロセスを簡略化するＲＥＳＴに基づく検索インタフェースを提供するＧｏｏｇｌｅ（登録商標）およびＢｉｎｇを使用する。本発明のこのような実施形態では、番組情報に基づく検索クエリのフォーマット化、およびその結果の品質の解釈の両方において、ヒューリスティック手法を採用する。さらに、ウィキペディアおよびＩＭＤｂは周知の情報ソースであるので、このようなサイト上でも、関連コンテンツ／関連番組を検索することができる。
【００２７】
本発明の様々な実施形態では、視聴しているメイン・コンテンツ／メイン番組またはこのメイン・コンテンツ／メイン番組に関連する情報に対するオフィシャル・ウェブサイトを探し出す試みを行う。多くの場合には、このような情報は、番組に対するウィキペディア・データから引くことができ、それができない場合には、検索インタフェースを介してオフィシャル・サイトを特定する試みを行う。検索結果を最大限に増やすために、一実施形態では、範囲の狭い番組検索を最初に試みた後で、検索範囲を次第に拡大していくフォールバック機構を利用する。例えば、あるテレビジョン・シリーズのあるエピソードの場合には、その特定のエピソードを最初に検索し、それが見つからない場合には、その特定のシリーズに検索範囲を拡大し、それでも見つからない場合には、そのエピソードが放送されているテレビジョン・チャンネルに検索範囲を拡大する。このような検索モデルでは、ほとんどの場合に所与の番組に対する何らかの関連するコンテンツを第２のスクリーン上で必ず利用できるようにすることにより、ユーザの体験を改善する。本発明者は、本発明のフォールバック手法を用いると、所与の番組でウェブ情報の入手可能性が高いことを確認した。例えば、表２は、１日分のローカル・ケーブル・プロバイダの番組からＥＳＧに読み込まれた２０８０件の番組についてのウェブ情報のカバー率の検索結果を示している。
【００２８】
【表２】
2014519749.tif 000004
表２に示す結果から明らかなように、ウィキペディアは、理想的なデータ・ソースである。ウィキペディアのオープンで共同作業的な手法は、ウィキペディア上で関連コンテンツを探す際の高いヒット率が示すように、幅広いトピックの範囲をもたらす結果となっている。さらに、ウィキペディアのデータは、クリエイティブ・コモンズ・ライセンスの下でライセンスされ、データを自由に共有し、改変することができる。最後に、実施という観点からは、ウィキペディアは、本発明の高機能ＥＳＧにとって望ましい様々な共通データ属性の簡単な構文解析を可能にする「インフォボックス」マークアップ拡張を提供する。
【００２９】
本発明の様々な実施形態では、利用できるストリーミング・コンテンツへのリンクを検索して、関連コンテンツをユーザに提供する。すなわち、ユーザは、テレビジョン番組などのコンテンツに対するウェブを検索する場合は、ストリーミング・コンテンツを視聴したいと思うことが多い。例えば、コムスコアによれば、人気のある米国のテレビジョン・ストリーミング・サイトであるＨｕｌｕが２０１０年１月に配信したビデオ・ストリーム数は、９億３００万本であった。その他のストリーミング・テレビジョン・コンテンツ・ソースとしては、Ｃｏｍｃａｓｔのケーブル加入者が利用できるＦａｎｃａｓｔ．ｃｏｍ、Ｎｅｔｆｌｉｘの加入者が利用できるＮｅｔｆｌｉｘ  ＩｎｓｔａｎｔＷａｔｃｈなどがある。表３は、あるローカル・ケーブル・プロバイダの１日分のＥＳＧデータから抽出した１６１２件の番組についてのこれらのサービスのストリーミング・コンテンツのカバー率を示している（スポーツ、ニュース、およびショッピングは、これらのサービスでは利用できる可能性が低いので除いてある）。
【００３０】
【表３】
2014519749.tif 000005
【００３１】
テレビジョンの視聴のようなメディア消費活動は、ソーシャル・ネットワーキング・メッセージの共通のテーマであり、ユーザがテレビジョン・コンテンツを消費している間に別のスクリーン装置から情報を知らせることが多いというのは、妥当な仮定である。
【００３２】
本発明の実施形態では、ソーシャル・ネットワーキングを実施して、本明細書で述べるような第２のスクリーン装置のユーザがこのようなソーシャル・ネットワーキング・サービスを介して自分の意見を共有するための通信を行うこと、またはソーシャル・ネットワークを用いて関連情報／関連コンテンツを検索することを可能にする。すなわち、ソーシャル・ネットワーキング・サービスによって、インターネットのユーザは、家族と、友人と、またインターネット・コミュニティ全体と、自分の考えを共有することができる。特に人気のあるソーシャル・ネットワーキング・サービスとしては、２００９年１２月現在のユーザ数が３億５千万人、Ａｌｅｘａ  Ｔｒａｆｆｉｃ  Ｒａｎｋでも世界および米国の両方で２位と報告されているＦａｃｅｂｏｏｋ、ならびに２０１０年２月現在で１日あたり５千万の「ツイート」があると報告されているＴｗｉｔｔｅｒが挙げられる。図３の実施形態に示すように、タブ／リンクを設けて、上述のようにユーザがソーシャル・ネットワーキング・サービスに接続できるようにしている。さらに、これもやはり図３の実施形態に示すように、タブ／リンクを設けて、ユーザがＴｗｉｔｔｅｒと接続／対話して、現在の番組に関連する検索語と一致するＴｗｉｔｔｅｒの「ツイート」のストリーム（流れ）にアクセスし、これを表示することができるようにすることもできる。
【００３３】
本発明の一実施形態では、フロントエンドのＴＶインタフェース・アプリケーションとして、Ｍｉｃｒｏｓｏｆｔ  Ｗｉｎｄｏｗｓ（登録商標）で動作するＷｉｎｄｏｗｓ（登録商標）  Ｍｅｄｉａ  ＣｅｎｔｅｒおよびＬｉｎｕｘ（登録商標）で動作するＭｙｔｈＴＶの両方が実装された。両アプリケーションとも、ＴＶ同調機能、サービス・ガイド、リモート・コントロールのサポート、プラグインのサポート、魅力的な設計、およびセット・トップ・ボックスのインタフェースに似たユーザ・インタフェースを提供する。これらのアプリケーションを評価したところ、両方ともかなり簡単にインタフェースをとることができることが分かったので、ハードウェアの柔軟性および既存のシステムとの統合可能性を維持するという利点を考慮して、このシステムでは両方の環境をサポートすることに決めた。上述の実施形態では、プログラミング言語のＰｙｔｈｏｎおよびウェブ・アプリケーション・フレームワークのＰｙｌｏｎｓを、本発明のこの実施形態のウェブ・プラットフォームとして選択した。利点としては、Ｗｉｎｄｏｗｓ（登録商標）とＬｉｎｕｘの間の可搬性、迅速な展開能力、膨大なライブラリ・サポート、およびＨＴＭＬ表現およびＲＥＳＴ／ＪＳＯＮウェブ・サービスの両方を提供できることなどが挙げられる。
【００３４】
本発明の様々な実施形態では、ディスプレイ・サイズおよびインタフェース機構が大きく異なる幅広い第２のスクリーン装置に対応するために、特定の装置向けにカスタマイズすることができるレンダリング機構／プロセッサにデータが送られる。例えば、本発明の１つの実験的な実施形態では、データはＨＴＭＬブラウザ・フォーマットにレンダリングされ、またコンパクトでタッチ・フレンドリなインタフェースを提供するスマートフォンのインタフェースにレンダリングされる。このような実施形態では、将来的にネイティブ・アプリケーションおよび／またはＦｌａｓｈアプリケーションをサポートする装置と相互運用できるように、低レベルのＲＥＳＴ／ＪＳＯＮもサポートする。
【００３５】
図４は、本発明の実施形態によるマルチスクリーンによるコンテンツ視聴方法を示す流れ図である。図４の方法４００では、最初にステップ４０２で、第１の表示装置に表示しているコンテンツをトラッキングする。例えば、本発明の一実施形態では、そのコンテンツを視聴しているチャンネルをトラッキングし、そのチャンネルで提供されている番組をトラッキングする。方法４００は、次いで、ステップ４０４に進む。
【００３６】
ステップ４０４で、第１の表示装置に表示されているコンテンツに関連する、インターネットを介してアクセス可能なデータを検索する。例えば、本発明の一実施形態では、ウェブ・サーバに接続するローカル・ネットワークＵＲＬをユーザに提供することによって、検索を実行する。そのローカル・ネットワークＵＲＬに接続すると第１の表示装置に表示されている現在のチャンネルおよび番組に基づいて第１の表示装置に表示されているコンテンツに関連するデータの検索をウェブ・サーバが開始する、次いで、この方法４００は、ステップ４０６に進む。
【００３７】
ステップ４０６で、検索の結果見つかった、第１の表示装置に表示されているコンテンツに関連するデータに、少なくとも１つの第２の表示装置を介してアクセスできるようにする。例えば、本発明の一実施形態では、検索の実行後に、その検索の結果を、上記の実施形態で述べたようにユーザ・インタフェースを介してユーザが入手できるようにすることができる。すなわち、検索の結果見つかった第１の表示装置に表示されている現在のコンテンツに関連するデータへのリンクを含むユーザ・インタフェースを、ユーザに提示することができる。その後、この方法４００を終了することができる。
【００３８】
マルチスクリーンによるメディア体験を提供する方法、装置およびシステムの様々な実施形態について（限定ではなく例示を目的として）述べたが、当業者なら、上記の教示に照らして様々な修正および改変を加えることができることに留意されたい。従って、開示した本発明の具体的な実施形態には、本発明の範囲および趣旨を逸脱しない変更を加えることができることを理解されたい。以上の説明は、本発明の様々な実施形態を対象とするものであるが、本発明の基本的な範囲を逸脱することなく、本発明のその他のさらなる実施形態を工夫することもできる。
【図１】
2014519749.tif 000006
【図２】
2014519749.tif 000007
【図３】
2014519749.tif 000008
【図４】
2014519749.tif 000009
【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
複数のスクリーンによるコンテンツ体験を提供する方法であって、
第１の表示装置に表示されているコンテンツをトラッキングするステップと、
インターネットを介してアクセス可能な、前記第１の表示装置に表示されている前記コンテンツに関連するデータを検索するステップと、
少なくとも１つの第２の表示装置上で、前記検索の結果として見つかったデータへアクセスするステップと、
を含む、前記方法。
【請求項２】
前記データへのアクセスを、前記第１の表示装置に表示されている前記コンテンツに関連するデータへのリンクによって行う、請求項１に記載の方法。
【請求項３】
前記リンクが、自動的に決定され、ユーザに対して提示される、請求項２に記載の方法。
【請求項４】
前記検索がウェブ・サーバに接続するローカル・ネットワークＵＲＬをユーザに提供することによって実行され、該ローカル・ネットワークＵＲＬに接続すると、前記第１の表示装置に表示されている現在のチャンネルおよび番組に基づいて前記第１の表示装置に表示されている前記コンテンツに関連するデータの検索を該ウェブ・サーバが開始する、請求項１に記載の方法。
【請求項５】
前記検索の結果がＨＴＭＬページによって提供される、請求項１に記載の方法。
【請求項６】
前記ＨＴＭＬページが高機能電子サービス・ガイドを表す、請求項５に記載の方法。
【請求項７】
前記検索がＲＥＳＴに基づく検索インタフェースによって実施される、請求項１に記載の方法。
【請求項８】
表示されている前記コンテンツの現在の番組チャンネルおよびそのチャンネルの前記コンテンツが、前記番組チャンネルが変更された場合、または前記チャンネルの前記コンテンツが変化した場合に、現在視聴しているコンテンツに関連するデータを探す新たな検索が開始されるようにトラッキングされる、請求項１に記載の方法。
【請求項９】
インターネットを介してアクセス可能な前記データが前記第１の表示装置に表示されているコンテンツに関連するウェブ・コンテンツ・ソースを含み、該ウェブ・コンテンツ・ソースが、オフィシャル・ウェブサイト、ウィキペディア・ページ、インターネット動画データベース・ページ、ストリーミング・コンテンツ・プロバイダ、ウェブ画像およびＴｗｉｔｔｅｒのやりとりのうちの少なくとも１つを含む、請求項１に記載の方法。
【請求項１０】
前記検索の結果が、タブ・フォーマットを有するウェブ・ページを用いて提示される、請求項１に記載の方法。
【請求項１１】
前記検索の結果が、スライドショー・フォーマットを用いて提示される、請求項１に記載の方法。
【請求項１２】
前記第２の表示装置に表示のために選択されたデータが、前記第１の表示装置におけるコンテンツの表示を妨害することなく、前記第２の表示装置に表示される、請求項１に記載の方法。
【請求項１３】
複数のスクリーンによるコンテンツ体験を提供する装置であって、
番組コンテンツを受信して同調させるチューナと、
第１の表示装置に表示されているコンテンツをトラッキングするプロセッサと、
前記プロセッサと協働して、インターネットを介してアクセス可能な、前記第１の表示装置に表示されている前記コンテンツに関連するデータを検索し、前記検索の結果として見つかったデータを少なくとも１つの第２の表示装置上でアクセス可能にするウェブ・サービスと、を備える前記装置。
【請求項１４】
少なくとも前記検索の結果を記憶するデータベースをさらに備える、請求項１３に記載の装置。
【請求項１５】
前記プロセッサおよび前記ウェブ・サービスが、前記少なくとも１つの第１の表示装置および前記少なくとも１つの第２の表示装置と通信を行う中央インタフェース・プラットフォームを含み、該中央インタフェース・プラットフォームが、前記第１の表示装置に表示されるコンテンツに関連するデータを取り出し、このデータを前記第２の表示装置に伝送する、請求項１３に記載の装置。
【請求項１６】
複数のスクリーンによるコンテンツ体験を提供するシステムであって、
受信したコンテンツを表示する第１の表示装置と、
前記第１の表示装置に表示されている前記コンテンツに関連するコンテンツを、前記第１の表示装置におけるコンテンツの表示を妨害することなく表示する、少なくとも１つの第２の表示装置と、
インターネットを介してアクセス可能なデータへアクセスするウェブ・サービスと、
装置と、を備え、
該装置が、
コンテンツを受信するチューナと、
前記第１の表示装置に表示されているコンテンツをトラッキングし、前記ウェブ・サービスと協働して、インターネットを介してアクセス可能な、前記第１の表示装置に表示されている前記コンテンツに関連するデータを検索し、前記検索の結果として見つかったデータを前記少なくとも１つの第２の表示装置上でアクセス可能にするプロセッサと、を含む、前記システム。
【請求項１７】
前記インターネット検索の結果得られた前記データが、ユーザ・インタフェースを介して前記少なくとも１つの第２の表示装置上で提示される、請求項１６に記載のシステム。
【請求項１８】
前記ユーザ・インタフェースが、タブ・フォーマットを有するウェブ・ページを含む、請求項１７に記載のシステム。
【請求項１９】
前記ユーザ・インタフェースが、スライドショー・フォーマットを有するウェブ・ページを含む、請求項１７に記載のシステム。
【請求項２０】
前記第１の表示装置および前記少なくとも１つの第２の表示装置が、テレビジョン・スクリーン、ラップトップ・コンピュータ、デスクトップ・コンピュータ、ネットブック、スマートフォン、およびタブレットのうちの少なくとも１つを含む、請求項１７に記載のシステム。
【国際調査報告】
2014519749.tif 000010
2014519749.tif 000011